【事件の表示】
　平成１年特許願第２９２５６３号「芳香族ポリエステルの製造法」拒絶査定に対する審判事件（平成３年６月２８日出願公開、特開平３−１５２１２４）について、次のとおり審決する。
【結論】
　本件審判の請求は、成り立たない。
【理由】
（１）手続の経緯・本願発明
　本願は、平成元年１１月９日の出願であって、その請求項１〜６に係る発明（以下「本願発明１」〜「本願発明６」という。）は、平成１１年４月２日付けの手続補正書によって補正された明細書の記載からみて、その特許請求の範囲の請求項１〜６に記載された事項によって特定される次のとおりのものと認める。
「（１）Ａ：芳香族ヒドロキシカルボン酸及びその機能性誘導体から選ばれる一つ以上の化合物と
Ｂ：芳香族ジカルボン酸及びその機能性誘導体から選ばれる一つ以上の化合物と
Ｃ：芳香族ジフェノール類及びその機能性誘導体から選ばれる一つ以上の化合物と
Ｄ：三価以上の芳香族多価カルボン酸及びその機能性誘導体から選ばれる一つ以上の化合物を、ＢとＤ化合物の和に対して０．３〜３モル％、
重縮合させて得られる耐熱性に優れ、かつ成形品に優れたウェルド部の曲げ強度を与える芳香族ポリエステル。
（２）Ｄのカルボン酸が、トリメシン酸、トリメリット酸、ピロメリット酸、３，４，３’，４’−ベンゾフェノンテトラカルボン酸、３，４，３’，４’−ビフェニルテトラカルボン酸から選ばれるカルボン酸である請求項１記載の芳香族ポリエステル。
（３）Ａ：芳香族ヒドロキシカルボン酸及びその機能性誘導体から選ばれる一つ以上の化合物と
Ｂ：芳香族ジカルボン酸及びその機能性誘導体から選ばれる一つ以上の化合物と
Ｃ：芳香族ジフェノール類及びその機能性誘導体から選ばれる一つ以上の化合物と
Ｄ：三価以上の芳香族多価カルボン酸及びその機能性誘導体から選ばれる一つ以上の化合物を、ＢとＤ化合物の和に対して０．３〜３モル％、
重縮合させて得た芳香族ポリエステルを成形してなる耐熱性とウェルド部の曲げ強度に優れた成形品。
（４）Ｄのカルボン酸が、トリメシン酸、トリメリット酸、ピロメリット酸、３，４，３’，４’−ベンゾフェノンテトラカルボン酸、３，４，３’，４’−ビフェニルテトラカルボン酸から選ばれるカルボン酸である請求項３記載の成形品。
（５）Ａ：芳香族ヒドロキシカルボン酸及びその機能性誘導体から選ばれる一つ以上の化合物と
Ｂ：芳香族ジカルボン酸及びその機能性誘導体から選ばれる一つ以上の化合物と
Ｃ：芳香族ジフェノール類及びその機能性誘導体から選ばれる一つ以上の化合物と
Ｄ：三価以上の芳香族多価カルボン酸及びその機能性誘導体から選ばれる一つ以上の化合物を、ＢとＤ化合物の和に対して０．３〜３モル％、
重縮合させることを特徴とする芳香族ポリエステル成形品の耐熱性とウェルド部の曲げ強度を向上させる方法。
（６）Ｄのカルボン酸が、トリメシン酸、トリメリット酸、ピロメリット酸、３，４，３’，４’−ベンゾフェノンテトラカルボン酸、３，４，３’，４’−ビフェニルテトラカルボン酸から選ばれるカルボン酸である請求項５記載の方法。」
　なお、請求項１、３及び５におけるＢの化合物として、「芳香族カルボン酸」と記載されているが、芳香族ポリエステルの製造に際して、Ｃの芳香族ジフェノール類に対するモノマーであり、また明細書における例示から見ても、「芳香族ジカルボン酸」の誤記と認められるので、上記のように認定した。
（２）引用例
　これに対して、原査定の拒絶の理由に引用された、本願の出願前に頒布された特開平１−１５２１２３号公報（以下「引用例」という。）には、次の記載が認められる。
　「（Ｉ）ｐ−ヒドロキシ安息香酸、（ＩＩ）４，４’−ジヒドロキシジフェニル、（ＩＩＩ）テレフタル酸、そして（ＩＶ）イソフタル酸
を基にしたサーモトロピック全芳香族ポリエステルであって、該ポリエステルが、各々の場合において縮合された基（Ｉ）、（ＩＩＩ）及び（ＩＶ）の和を基にして、７４．５ないし７７．５モル％の量の縮合された基（Ｉ）及び９．５ないし１０．５モル％の量の縮合された基（ＩＶ）を含み、そして縮合された基（ＩＩ）／［（ＩＩＩ）＋（ＩＶ）］のモル比が０．９５ないし１．０５である、ポリエステル。」（特許請求の範囲第１項）
　「その場で製造されてよい、成分（Ｉ）ないし（ＩＶ）の反応性誘導体を、１５０ないし３８０℃の温度で、随時減圧で、随時連鎖破壊剤、分岐剤及び触媒の存在下で、反応させることを特徴とする、特許請求の範囲第１項記載のポリエステルの製造方法。」（同第２項）
　「成形物体、単繊維、繊維及びフィルムの製造のための特許請求の範囲第１項記載のポリエステルの使用。」（同第３項）
　「本発明は、熱の下で高い寸法安定性及び良好な熱可塑加工性を有する高分子量サーモトロピック芳香族ポリエステルに、それらのポリエステルの製造方法に、そして成形物体、単繊維、繊維及びフィルムのためのそれらの使用に関する。」（第１頁右下欄）
　「三官能基のまたはより高次の官能基の、好ましくは三または四官能基のモノマー、好ましくは芳香族モノマー例えばフロログルシノール、１，３，５−ベンゼンートリカルボン酸または３，５−ジヒドロキシ安息香酸を、ポリ及びヒドロキシカルボン酸の場合にはジカルボン酸を基にしてそしてポリオールの場合にはジフェノールを基にして、約０．１ないし２モル％、好ましくは０．２ないし１．０モル％の量で分岐剤として使用してよい。」（第４頁左右上欄）
　（３）対比・判断
　まず、本願発明１と引用例記載の発明とを対比する。
　引用例のｐ−ヒドロキシ安息香酸及び４，４’−ジヒドロキシジフェニルは本願発明１のＡ及びＣの化合物に、またテレフタル酸及びイソフタル酸は同じくＢの化合物に相当するものであり、そして分岐剤として使用される「１，３，５−ベンゼンートリカルボン酸」は同じくＤの化合物に相当することは明らかであるから、本願発明１ではＤの化合物を、ＢとＤ化合物の和に対して０．３ないし３モル％とし、また縮合して得られる耐熱性に優れ、かつ成形品に優れたウェルド部の曲げ強度を与える芳香族ポリエステルとするのに対し、引用例１ではＤの化合物をＢの化合物に対し約０．１ないし２モル％とし、熱の下で高い寸法安定性及び良好な熱可塑加工性を有する芳香族ポリエステルとするものである点で一応相違し、その他の点については一致するものと認める。
　しかしながら、引用例１に記載されるＤの化合物について、ＢとＤ化合物の和に対するものに換算すれば、０．０９９９〜１．９６モル％となり、本願発明１の範囲に重複するものであるから、相違点とは認められない。
　また、「耐熱性に優れ、成形品に優れたウェルド部の曲げ強度を与える」というのは、本願発明１において、Ａ〜Ｄの化合物を用い、Ｄの化合物をＢとＤ化合物の和に対して０．３〜３モル％で縮合して得られる結果である芳香族ポリエステル成形品の単なる性質を示しているに過ぎず、引用例においても同一条件の化合物で重縮合され、成形品とされるものであるから、同一の性質を有する成形品が得られていると認められ、この点においても相違点とすることはできない。
　したがって、本願発明１は引用例１に記載された発明である。
　本願発明２は、請求項１に従属し、またＤのカルボン酸を特定するものであるが、引用例１にはトリメシン酸（１，３，５−ベンゼンートリカルボン酸）が記載されており、またその他の点は上記で見てきたとおりの理由から、本願発明２も引用例に記載された発明である。
　本願発明３は、請求項１と同じ構成の芳香族ポリエステルからなる成形品に関するものであるが、引用例には「成形物体」との記載があり、また上記に記載された理由から、引用例に記載された発明である。
　本願発明４は、請求項３に従属し、また本願発明２と同様に、Ｄを特定するものであるが、上記で見てきたとおり、引用例には同一化合物が記載され、また成形品についても記載されているから、引用例に記載された発明である。
　本願発明５は、「芳香族ポリエステル成形品の耐熱性とウェルド部の曲げ強度を向上させる方法」であるが、その方法自体は、Ａ〜Ｄの化合物を使用し、Ｄの化合物の特定量で、重縮合させることを特徴とするものであり、引用例においても同一の方法が記載され、得られた芳香族ポリエステル成形品も同様の性質を有していると認められるから、引用例に記載された発明である。
　本願発明６は、請求項５に従属し、また本願発明２と同様にＤの化合物を特定するものであるが、引用例には同一化合物が記載されているから、引用例に記載された発明である。
（４）むすび
　以上のとおりであるから、本願発明１〜６は引用例に記載された発明と認められ、特許法第２９条第１項第３号の規定により、特許を受けることができない。
　よって、結論のとおり審決する。